(57)【要約】【課題】押下ヘッドに対して不意に外力がかかっても、螺着筒に対する押下ヘッドの螺着が解除されることを抑制したポンプを提供すること。【解決手段】上方付勢状態で下方移動可能に起立したステムを有するポンプ本体２と、ステム１２の上端に装着され、ステム１２から内容物を吐出させる吐出孔３２Ａが形成された押下ヘッド３と、下方端位置にある押下ヘッド３が螺着され、ステム１２及び押下ヘッド３の上方移動を規制する規制筒４と、を備え、押下ヘッド３が、規制筒４に螺着される螺着筒３１と、吐出孔３２Ａが形成され、螺着筒３１に回転自在に装着されたヘッド本体３２と、を備える。【選択図】図１
2015085286.tif 000002
【特許請求の範囲】
【請求項１】
上方付勢状態で下方移動可能に起立したステムを有するポンプ本体と、
前記ステムの上端に装着され、前記ステムから内容物を吐出させる吐出孔が形成された押下ヘッドと、
下方端位置にある前記押下ヘッドが螺着され、前記ステム及び前記押下ヘッドの上方移動を規制する規制筒と、を備え、
前記押下ヘッドが、前記規制筒に螺着される螺着筒と、前記吐出孔が形成され、前記螺着筒に回転自在に装着されたヘッド本体と、を備えることを特徴とするポンプ。
【請求項２】
前記螺着筒が、前記規制筒に螺着される雌ネジ筒部と、前記ステムの上端部に嵌合される嵌合筒部と、前記雌ネジ筒部及び前記嵌合筒部を連結する連結板部と、を有し、
前記雌ネジ筒部の内周面のうち下部には雌ネジ部が形成されると共に、上部には平滑な平滑部が形成されていることを特徴とする請求項１に記載のポンプ。
【請求項３】
前記ヘッド本体が、先端に前記吐出孔が形成され、径方向外側に向けて突設された吐出筒部を有することを特徴とする請求項１または２に記載のポンプ。
【発明の詳細な説明】
【技術分野】
【０００１】
本発明は、ポンプに関する。
【背景技術】
【０００２】
例えば、上方付勢状態で下方移動可能に起立したステムを有するポンプ本体と、ステムの上端に装着され、ステムから内容物を吐出させる吐出孔が形成された押下ヘッドと、下方端位置にある押下ヘッドが螺着され、ステム及び押下ヘッドの上方移動を規制する規制筒と、を備える、ポンプが提案されている（例えば、特許文献１参照）。
このようなポンプでは、下方端位置にある押下ヘッドを螺着筒に螺着してステム及び押下ヘッドの上方移動を規制することによって、押下ヘッドに不意に加えられた外力によってステムが上下動して内容物が吐出されることを防止している。
【先行技術文献】
【特許文献】
【０００３】
【特許文献１】特開２００４−３４４８２２号公報
【発明の概要】
【発明が解決しようとする課題】
【０００４】
しかしながら、上記従来のポンプでは、押下ヘッドに対して周方向への外力が不意にかかり、押下ヘッドが螺着筒に対して回転すると、螺着筒に対する押下ヘッドの螺着が解除されてしまうことがある。
【０００５】
本発明は、前述の課題に鑑みてなされたもので、押下ヘッドに対して不意に外力がかかっても、螺着筒に対する押下ヘッドの螺着が解除されることを抑制したポンプを提供することを目的とする。
【課題を解決するための手段】
【０００６】
本発明は、上記のような課題を解決するために、以下のような手段を採用した。すなわち、本発明のポンプは、上方付勢状態で下方移動可能に起立したステムを有するポンプ本体と、前記ステムの上端に装着され、前記ステムから内容物を吐出させる吐出孔が形成された押下ヘッドと、下方端位置にある前記押下ヘッドが螺着され、前記ステム及び前記押下ヘッドの上方移動を規制する規制筒と、を備え、前記押下ヘッドが、前記規制筒に螺着される螺着筒と、前記吐出孔が形成され、前記螺着筒に回転自在に装着されたヘッド本体と、を備えることを特徴とする。
【０００７】
この場合では、押下ヘッドに対して周方向の外力が不意にかかっても、ヘッド本体を周方向で回転させることで、螺着筒に外力を伝わりにくくすることが可能になる。そのため、この外力によっては規制筒に対する螺着筒の螺着が解除されることを抑制できる。また、押下ヘッドと規制筒との螺着を解除するためには押下ヘッドの一部分である螺着筒を周方向で回転させる必要があり、螺着の解除に寄与する部分が押下ヘッドの一部分であることによっても、不意の外力によって螺着が解除されることを抑制できる。さらに、例えば小さな子供などが好奇心から押下ヘッドを触ったとしても、上述と同様にヘッド本体を周方向で回転させることで、規制筒に対する螺着筒の螺着が意図せず解除されることを防止できる。
【０００８】
また、本発明では、前記螺着筒が、前記規制筒に螺着される雌ネジ筒部と、前記ステムの上端部に嵌合される嵌合筒部と、前記雌ネジ筒部及び前記嵌合筒部を連結する連結板部と、を有し、前記雌ネジ筒部の内周面のうち下部には雌ネジ部が形成されると共に、上部には平滑な平滑部が形成されてもよい。
この場合では、雌ネジ筒部の上下方向の長さに雌ネジ部が形成されている部分だけではなく平滑部が形成されている部分の長さが含まれるので、雌ネジ筒部の上下方向の大きさを平滑部が形成されている部分の長さだけ大きくできる。
【０００９】
また、本発明では、前記ヘッド本体が、先端に前記吐出孔が形成され、径方向外側に向けて突設された吐出筒部を有してもよい。
この場合では、押下ヘッドのうち特に径方向外側に向けて突出する突出筒部に対して周方向の不意の外力がかかりやすくなるが、この外力が加わってもヘッド本体のみが周方向に回転し、螺着筒が回転しないので、規制筒に対する螺着筒の螺着が解除されることを効果的に抑制できる。さらに、例えば小さな子供などが特に吐出筒部に触れやすくなるにもかかわらず、上述のように規制筒に対する螺着筒の螺着が解除されることを効果的に防止できる。
【発明の効果】
【００１０】
この発明にかかるポンプによれば、規制筒に螺着される螺着筒に対してヘッド本体が回転自在となっており、押下ヘッドに対して周方向の外力が不意にかかっても、ヘッド本体が周方向で回転することによって螺着筒に外力が伝達しにくくなるので、螺着筒に対する押下ヘッドの螺着が解除されることを抑制できる。さらに、例えば小さな子供などが押下ヘッドに触れたとしても、螺着が意図せず解除されることを防止できる。
【図面の簡単な説明】
【００１１】
【図１】本発明の第１実施形態にかかるポンプを示す軸方向断面図である。
【図２】図１の押下ヘッドが下方端位置にあるポンプを示す軸方向断面図である。
【図３】本発明の第２実施形態にかかるポンプを示す軸方向断面図である。
【図４】図３の押下ヘッドが下方端位置にあるポンプを示す軸方向断面図である。
【発明を実施するための形態】
【００１２】
以下、本発明におけるポンプの第１実施形態を、図面に基づいて説明する。なお、以下の説明に用いる各図面では、各部材を認識可能な大きさとするために縮尺を適宜変更している。
【００１３】
本実施形態におけるポンプ１は、内容物を収容したボトルなどの容器本体（図示略）における円筒状の口部に螺着される。そして、ポンプ１は、例えば図１及び図２に示すように、上方付勢状態で下方移動可能に起立した円筒状のステム１２を有する円筒状のポンプ本体２と、ステム１２の上端に装着された有頂円筒状の押下ヘッド３と、下方端位置にある押下ヘッド３が螺着される円筒状の規制筒４と、上記容器本体の口部にポンプ１を装着させる円筒状の装着キャップ５と、を備える。
これらステム１２、ポンプ本体２、押下ヘッド３、規制筒４及び装着キャップ５は、それぞれの中心軸線を共通軸上に位置した状態で配設されている。以下、この共通軸をポンプ軸Ｏと称し、図１においてポンプ軸Ｏに沿う押下ヘッド３側を上側、その反対側を下側とし、ポンプ軸Ｏに直交する方向を径方向、ポンプ軸Ｏ回りで周回する方向を周方向と称する。
【００１４】
ポンプ本体２は、円筒状のシリンダ部１１と、上方付勢状態で下方移動可能に起立したステム１２と、コイルスプリング（図示略）及び下弁部材（図示略）と、を備える。これらシリンダ部１１及びステム１２は、それぞれの中心軸線をポンプ軸Ｏ上に位置した状態で配設される。なお、ポンプ本体２は、公知のポンプ機構であり、種々のポンプ機構を用いることができる。
【００１５】
シリンダ部１１は、上端に平面視で円環状のフランジ部２１Ａが径方向外側に向けて突設された円筒状の直筒部２１と、直筒部２１の下端に連設された円筒状の吸込筒部２２と、フランジ部２１Ａから上方に向けて突設された円筒状の突出筒部２３と、を有する。
直筒部２１の上端部には、図２に示すように、直筒部２１の内外を連通する空気孔２１Ｂが形成されている。なお、空気孔２１Ｂは、ステム１２に接続されている後述するピストン筒部（図示略）よりも上方に形成されている。
吸込筒部２２の内側には、図１及び図２に示すように、容器本体（図示略）の内側に配置される吸入パイプ２４の上端部が嵌合されている。
突出筒部２３の内周面には、上下方向に延在する縦リブが周方向に間隔をあけて径方向内側に向けて複数突設されている。
【００１６】
ステム１２は、円筒状の小径部２５と、小径部２５の下端に接続され、内径及び外径が小径部２５の内径及び外径よりも大きい円筒状の大径部２６と、を有する。
小径部２５のうち大径部２６との接続部分における内周面には、径方向内側に向けて円筒状の上弁座部２５Ａが突設されている。上弁座部２５Ａは、径方向内側に向かうにしたがって漸次下方に向けて傾斜しており、上弁座部２５Ａ上には、球状の上弁体部２７が上方に離間可能に着座している。
大径部２６の下端には、シリンダ部１１の直筒部２１の内周面に上下移動可能に摺接する円筒状のピストン筒部（図示略）が一体的に設けられている。
【００１７】
押下ヘッド３は、規制筒４に螺着される有頂円筒状の螺着筒３１と、吐出孔３２Ａが形成され、螺着筒３１に対してポンプ軸Ｏ回りに回転自在に装着された有頂円筒状のヘッド本体３２と、を備える。これら螺着筒３１及びヘッド本体３２それぞれの中心軸線は、ポンプ軸Ｏと同軸に配置されている。
【００１８】
螺着筒３１は、円筒状の雌ネジ筒部４１と、ステム１２の上端部に嵌合される円筒状の嵌合筒部４２と、雌ネジ筒部４１と嵌合筒部４２とを連結する平面視で円環状の連結板部４３と、を有する。
雌ネジ筒部４１の内周面には、第１雌ネジ部（雌ネジ部）４１Ａが形成されており、雌ネジ筒部４１は、ヘッド本体３２から下方に突出している。
嵌合筒部４２の上端部は、連結板部４３よりも上方に突出しており、嵌合筒部４２のうち連結板部４３よりも下方に位置する部分は、ステム１２の上端部に外嵌されている。また、嵌合筒部４２の下端は、ステム１２の小径部２５と大径部２６との段差部に当接している。
連結板部４３は、雌ネジ筒部４１の上端から径方向内側に向けて延在している。
【００１９】
ヘッド本体３２は、円筒状の取付筒部４４と、取付筒部４４よりも径方向外側に配設された円筒状の周筒部４５と、取付筒部４４及び周筒部４５それぞれの上端同士を連結する平面視で円状の天板部４６と、取付筒部４４から周筒部４５を貫通して径方向外側に延在する円筒状の吐出筒部４７と、を有する。
【００２０】
取付筒部４４の内側には、嵌合筒部４２の上端部が嵌合されている。そのため、ヘッド本体３２は、螺着筒３１に対してポンプ軸Ｏ回りで回転自在に装着されている。また、取付筒部４４の下端は、連結板部４３の上面に当接している。さらに、取付筒部４４の内周面には、上下方向に延在し、下端が嵌合筒部４２の上端に当接する規制リブ部４４Ａが周方向に間隔をあけて径方向内側に向けて複数突設されている。
周筒部４５の上端部は、内径及び外径が上方に向かうにしたがって漸次縮径するドーム状をなしている。また、周筒部４５の下端は、取付筒部４４と同様に、連結板部４３の上面に当接している。
吐出筒部４７の内側は、取付筒部４４の内側に連通しており、吐出筒部４７の先端開口部は、吐出孔３２Ａとされている。また、吐出筒部４７の先端部は、径方向外側に向かうにしたがって下方を向くように傾斜している。
【００２１】
規制筒４は、円筒状の内筒部５１と、内筒部５１よりも径方向外側に配設された円筒状の外筒部５２と、外筒部５２よりも径方向外側に配設された円筒状の雄ネジ筒部５３と、内筒部５１、外筒部５２及び雄ネジ筒部５３それぞれの上端同士を連結する平面視で円環状の頂壁部５４と、を有する。これら内筒部５１、外筒部５２、雄ネジ筒部５３及び頂壁部５４それぞれの中心軸線は、ポンプ軸Ｏと同軸に配置されている。
【００２２】
内筒部５１は、二重筒構造とされており、円筒状の第１内筒部５５と、第１内筒部５５よりも径方向外側に配設された円筒状の第２内筒部５６と、を有する。第１内筒部５５の内側には、ステム１２が上下方向に移動可能に配設されている。第２内筒部５６は、シリンダ部１１の突出筒部２３の内側に嵌合されている。さらに、第２内筒部５６の外周面には、上下方向に延在し、突出筒部２３の上記縦リブと係合して規制筒４がシリンダ部１１に対してポンプ軸Ｏ回りで回転することを規制する縦リブが周方向に間隔をあけて径方向外側に向けて複数突設されている。また、第１内筒部５５及び第２内筒部５６は、上下方向に延在すると共に周方向に間隔をあけて複数配設された接続リブによって互いに接続されている。
【００２３】
外筒部５２は、シリンダ部１１の突出筒部２３に外嵌されており、内筒部５１と共に突出筒部２３を径方向で挟み込んでいる。
雄ネジ筒部５３の外周面には、雌ネジ筒部４１の第１雌ネジ部４１Ａと螺合する雄ネジ部５３Ａが形成されている。
【００２４】
装着キャップ５は、円筒状の装着筒部６１と、装着筒部６１の上端から径方向内側に向けて突設された平面視で円環状の天壁部６２と、を有する。これら装着筒部６１及び天壁部６２それぞれの中心軸線は、ポンプ軸Ｏと同軸に配置されている。
装着筒部６１の内周面には、容器本体の口部の外周面に形成された雄ネジ部（図示略）と螺合する第２雌ネジ部６１Ａが形成されている。
天壁部６２は、フランジ部２１Ａ上に配設されており、ポンプ１を容器本体の口部に装着した状態では、フランジ部２１Ａの下面に配設された平面視で円環状のパッキン６３との間でフランジ部２１Ａを上下方向で挟み込む。
【００２５】
次に、以上のような構成のポンプ１の使用方法について説明する。
まず、例えばポンプ１の搬送時や陳列時などにおいて、ポンプは、図２に示すように、押下ヘッド３が下方端位置にある状態で、押下ヘッド３の雌ネジ筒部４１が規制筒４の雄ネジ筒部５３に螺着されている。この状態では、径方向外側に向けて突出する吐出筒部４７に対して不意の外力がかかりやすい。しかし、押下ヘッド３に周方向の外力がかかっても、ヘッド本体３２が螺着筒３１に対してポンプ軸Ｏ回りで回転するので、螺着筒３１に対してこの外力が伝達することが抑制される。
【００２６】
そして、ステム１２及び押下ヘッド３の上方移動の規制を解除してポンプ１を使用する場合には、螺着筒３１を把持して規制筒４の雄ネジ筒部５３に対して螺着筒３１をポンプ軸Ｏ回りで回転させ、規制筒４及び螺着筒３１の螺合を解除する。螺合を解除すると、上記付勢部材の上方付勢力により、ステム１２及び押下ヘッド３は、上方に向けて移動し、押下ヘッド３は、上方端位置に配置される。これにより、ポンプ１が使用可能な状態になる。
【００２７】
その後、押下ヘッド３を押し込むことによって上方に付勢状態で起立したステム１２を降下させると、ステム１２内に充填されている内容物は、ステム１２、嵌合筒部４２及び取付筒部４４それぞれの内側を通って吐出筒部４７の内側に流入し、吐出孔３２Ａから吐出される。ポンプ１を用いた内容物の具体的な吐出方法は、公知のポンプと同様であるため、その説明を省略する。
以上のようにして、ポンプ１を使用する。
【００２８】
以上のような構成のポンプ１によれば、押下ヘッド３に対して、特に押下ヘッド３のうち径方向外側に突出していることによって不意に接触しやすい吐出筒部４７に対して周方向の外力が不意にかかっても、ヘッド本体３２が周方向で回転することにより、螺着筒３１に外力が伝わりにくくなる。そのため、螺着筒３１と規制筒４の雄ネジ筒部５３との螺着が解除されることを抑制できる。また、螺着を解除するためには押下ヘッド３の一部分である螺着筒３１を回転させる必要があることによっても、不意の外力によって螺着が解除されることを抑制できる。さらに、例えば小さな子供などが押下ヘッド３、特に押下ヘッド３のうち吐出筒部４７に触れたとしても、螺着筒３１と規制筒４の雄ネジ筒部５３との螺着が意図せず解除されることを抑制できる。
【００２９】
次に、本発明おけるポンプの第２実施形態を、図面に基づいて説明する。なお、ここで説明する実施形態は、その基本的構成が上述した第１実施形態と同様であり、上述の第１実施形態に別の要素を付加したものである。したがって、図３及び図４においては、図１及び図２と同一の構成要素に同一符号を付し、その説明を省略する。
【００３０】
本実施形態におけるポンプ１００では、図３及び図４に示すように、押下ヘッド１０１の螺着筒１０２が、円筒状の雌ネジ筒部１０３と、円筒状の嵌合筒部１０４と、雌ネジ筒部１０３の上端及び嵌合筒部１０４を連結する連結板部１０５と、を有する。
雌ネジ筒部１０３の内周面のうち下側部分には、第１雌ネジ部１０３Ａが形成されており、雌ネジ筒部１０３の内周面のうち上側部分には、第１雌ネジ部１０３Ａが形成されていない平滑部１０３Ｂが形成されている。
【００３１】
嵌合筒部１０４の上端部は、連結板部１０５よりも上方に突出しており、この上端部は、嵌合筒部１０４のうち連結板部１０５よりも下方に位置する部分よりも径方向外側に位置する。また、嵌合筒部１０４の内周面には、ステム１２の上端の上方に位置する平面視で円環状の環状突出部１０４Ａが径方向内側に向けて突設されている。
連結板部１０５は、雌ネジ筒部１０３から径方向内側に向けて突出する平面視で円環状の外板部１０６と、嵌合筒部１０４から径方向内側に向けて突出する平面視で円環状の内板部１０７と、外板部１０６の径方向内端縁及び内板部１０７の径方向外端縁とを接続する円筒状の連結筒部１０８と、を有する。連結筒部１０８は、上下方向に延在する。
【００３２】
ヘッド本体１１０は、円筒状の取付筒部１１１と、円筒状の周筒部１１２と、天板部１１３と、吐出筒部１１４と、を有する。
取付筒部１１１は、嵌合筒部１０４の上端部の内側に嵌合されている。そのため、ヘッド本体１１０は、螺着筒１０２に対してポンプ軸Ｏ回りで回転自在である。また、取付筒部１１１の外周面には、上下方向に延在し、下端が嵌合筒部１０４の上端に当接する規制リブ部１１１Ａが周方向に間隔をあけて径方向内側に向けて複数突設されている。
【００３３】
以上のような構成のポンプ１００によれば、上述した第１実施形態と同様の作用、効果を奏するが、雌ネジ筒部１０３の上下方向の長さに第１雌ネジ部１０３Ａが形成された部分だけではなく平滑部１０３Ｂが形成された部分の長さが含まれるので、雌ネジ筒部１０３の上下方向の大きさを大きくできる。そのため、雌ネジ筒部１０３をポンプ軸Ｏ回りで回転させる際に、雌ネジ筒部１０３を把持しやすくなる。これにより、不意の外力によって螺着筒１０２と雄ネジ筒部５３との螺着が解除されることを抑制しつつ、操作性を向上させることができる。
【００３４】
なお、本発明は上記実施形態に限定されるものではなく、本発明の趣旨を逸脱しない範囲において種々の変更を加えることができる。
例えば、ポンプ本体の構成は、上弁座部及び上弁体部を有する構成となっているが、上方付勢状態で下方移動可能に起立したステムを有していれば、適宜変更してもよい。
ポンプは、容器本体の口部に螺着されているが、螺着以外の他の方法により容器本体に装着されてもよい。
ヘッド本体は、取付筒部を嵌合筒部の上端部に嵌合させることによって螺着筒に対してポンプ軸回りで回転自在に装着されているが、他の装着構造により螺着筒に対して回転自在に装着されてもよい。
ヘッド本体は、吐出筒部を備えているが、ヘッド本体に吐出孔が形成されていれば、吐出筒部を備えていなくてもよい。また、吐出筒部は、周筒部を貫通するようにもうけられていなくてもよい。
【産業上の利用可能性】
【００３５】
この発明によれば、押下ヘッドに対して不意に外力がかかっても、螺着筒に対する押下ヘッドの螺着が解除されることを抑制したポンプに関して、産業上の利用可能性が認められる。
【符号の説明】
【００３６】
１，１００  ポンプ、２  ポンプ本体、３，１０１  押下ヘッド、４  規制筒、１２  ステム、３１，１０２  螺着筒、３２，１００  ヘッド本体、３２Ａ  吐出孔、４１，１０３  雌ネジ筒部、４３，１０５  連結板部、４１Ａ，１０３Ａ  第１雌ネジ部（雌ネジ部）、４７，１１４  吐出筒部、１０３Ｂ  平滑部
【図１】
2015085286.tif 000003
【図２】
2015085286.tif 000004
【図３】
2015085286.tif 000005
【図４】
2015085286.tif 000006